(57)【要約】      （修正有）【課題】駐輪装置の広告機能を利用して新たな商取引を構築することにより、経営者や商店主に設置費用を還元することができるだけでなく、広告宣伝費用の収入をもたらすことができ、駐輪設備の設置が経済的な負担なしに実現することができる広告機能付き駐輪装置を用いたビジネス方法を提供する。【解決手段】広告表示部を設けた広告機能付きの駐輪装置を設置するオーナー１が、駐輪装置のリース会社２及び広告代理店３と契約を締結し、リース会社２が駐輪装置の設置を施工してオーナー１がリース会社２に駐輪装置のリース代を支払い、広告代理店３が駐輪装置に設けた広告表示部に対する広告主５の募集と広告代金の徴収を行い、広告代理店３が徴収した広告代金の一部をオーナー１に支払う。【選択図】図１
2006048565.tif 000002
【特許請求の範囲】
【請求項１】
広告表示部を設けた広告機能付きの駐輪装置を設置するにあたり、駐輪装置を設置するオーナーが、駐輪装置のリース業者及び広告代理店と契約を締結し、リース業者が駐輪装置の設置を施工してオーナーがリース業者に駐輪装置のリース代を支払い、広告代理店が駐輪装置に設けた広告表示部に対する広告主の募集と広告代金の徴収を行い、広告代理店が徴収した広告代金の一部をオーナーに支払うことを特徴とする広告機能付き駐輪装置を用いたビジネス方法。
【発明の詳細な説明】
【技術分野】
【０００１】
この発明は、駐輪装置に各種企業や商品等の宣伝広告を表示することができるようにした広告機能付きの駐輪装置を用いた新規なビジネス方法に関する。
【背景技術】
【０００２】
各種駐輪場において、自転車を効率よく整然と駐輪させることができるように、駐輪装置を設置することが行われており、駐輪装置には、自転車を平面的に並べて駐輪させる構造の簡単なものから、立体的に駐輪させる構造の複雑なものまであり、これら駐輪装置は駐輪場の条件等に合わせて選択されることになる。
【発明の開示】
【発明が解決しようとする課題】
【０００３】
ところで、従来の駐輪装置は、自転車を駐輪させておくという本来の機能は満たしてはいるが、視点を変えて一般的な商品として見た場合、駐輪という機能だけでは商品的な価値を十分に満足させることができているとはいえないものであり、このため、駐輪装置に広告機能を付加し、各種企業や商品等の宣伝広告を表示することができるようにすることが考えられている。
【０００４】
このような、広告機能付きの駐輪装置は、例えば、コンビニや各種商店の周囲に確保した駐輪スペースに設置し、買い物客の自転車を整然と駐輪させることにより、通行の邪魔にならないよう周辺の環境を整えると共に、買い物客に宣伝広告を認識させ、宣伝広告した商品の購買意欲を引き出す役目をするのに有効なものである。
【０００５】
従来、駐輪装置を設置する方法は、経営者や商店主が施工業者に駐輪装置の設置を依頼し、施工業者は製造業者から購入した駐輪装置を現場に搬入して設置を施工し、施工後に経営者や商店主が施工業者に対して費用を支払うようにしている。
【０００６】
しかしながら、このような設置方法では、経営者や商店主が設置費用の総てを負担することになるので、駐輪設備の設置の必要性を痛感している経営者や商店主でも、経済的な負担の問題から、駐輪設備の設置に踏み切ることができないのが現状である。
【０００７】
そこで、この発明の課題は、駐輪装置の広告機能に着目し、この宣伝広告を利用して新たな商取引を構築することにより、経営者や商店主に設置費用を還元することができるだけでなく、広告宣伝費用の収入をもたらすことができ、駐輪設備の設置が経済的な負担なしに実現することができる広告機能付き駐輪装置を用いたビジネス方法を提供することにある。
【課題を解決するための手段】
【０００８】
上記のような課題を解決するため、この発明は、広告表示部を設けた広告機能付きの駐輪装置を設置するにあたり、駐輪装置を設置するオーナーが、駐輪装置のリース業者及び広告代理店と契約を締結し、リース業者が駐輪装置の設置を施工してオーナーがリース業者に駐輪装置のリース代を支払い、広告代理店が駐輪装置に設けた広告表示部に対する広告主の募集と広告代金の徴収を行い、広告代理店が徴収した広告代金の一部をオーナーに支払う構成を採用したものである。
【０００９】
ここで、上記駐輪装置は、自転車の前輪を挿入することにより駐輪させることができるような小型で設置場所のとらない構造が適しており、この駐輪装置に設けた支柱や広告表示プレートに宣伝広告のための文字や図柄が表示されることになる。
【発明の効果】
【００１０】
この発明によると、駐輪装置を設置するオーナーに、広告代理店が徴収した広告代金の一部が支払われるので、この広告代金の収入を駐輪装置の設置費用に還元することができるだけでなく、広告宣伝費用によって新たな収入をもたらすことができ、駐輪設備を用いて新たなビジネスを展開することができ、しかも、駐輪装置の設置が経済的な負担なしに実現することができる。
【発明を実施するための最良の形態】
【００１１】
以下、この発明の実施の形態を添付図面に基づいて説明する。
【００１２】
この発明の広告機能付き駐輪装置を用いたビジネス方法は、広告機能付きの駐輪装置を設置するにあたり、図１のブロック図に示すように、駐輪装置を設置するコンビニエンスストア等のオーナー１が、駐輪装置のリース会社２及び広告代理店３と契約を締結し、リース会社２は製造メーカー４から購入した駐輪装置を現場に搬入して設置を施工し、広告代理店３が駐輪装置に設けた広告表示部に対する広告主５の募集と広告代金の徴収を行い、広告代理店３が徴収した広告代金の一部をオーナー１に支払うものである。
【００１３】
上記オーナー１と駐輪装置のリース会社２の契約は、設置した駐輪装置の月々のリース代をオーナー１がリース会社２に支払う内容を締結し、また、オーナー１と広告代理店３の契約は、広告代理店３が、広告表示部に対する広告主５の募集と確保及び広告代金の徴収業務を行い、広告代理店３が徴収した広告代金の一部をオーナー１に支払う条件の内容を締結する。
【００１４】
図２は、上記契約の締結によって、コンビニエンスストア等の店舗６の近傍に駐輪装置７を設置した状態を示し、自転車Ａを止め置くために設置される駐輪装置７には、広告表示部８が設けられ、この広告表示部８に、広告主の要望に応じた宣伝広告のための文字や図柄が表示されることになる。
【００１５】
図２の駐輪装置は、パイプを折り曲げ加工した複数の仕切り部材を自転車Ａにおける前輪Ｂの挿入空間を設けた配置で固定し、後部両側に立設した支柱の上端間に板状の広告表示部８を設けて形成されたものを示したが、駐輪装置７の構造と形状は図示に限定されるものではなく、自転車Ａの前輪Ｂを挿入することにより平面的に並べて駐輪させることができ、しかも、適当な位置に広告表示部８が設けられているものであればよい。
【００１６】
この発明の広告機能付き駐輪装置を用いたビジネス方法は、駐輪装置７のリース会社２又は広告代理店３が、コンビニエンスストア等のオーナー１に対して駐輪装置７の設置を勧誘し、駐輪装置７の設置を決定したオーナー１は、駐輪装置７のリース会社２及び広告代理店３と契約を締結し、リース会社２は製造メーカー４から購入した駐輪装置７を現場に搬入して設置を施工し、オーナー１から毎月のリース代を徴収する。
【００１７】
また、広告代理店３は、設置後の駐輪装置７に設けた広告表示部８に対する広告主５の募集と広告代金の徴収を行い、広告代理店３が徴収した広告代金の一部を月々オーナー１に支払うことにより、オーナー１はこの広告代金の収入を駐輪装置７のリース代に還元することができるだけでなく、広告宣伝費用によって新たな収入を得ることができる。
【図面の簡単な説明】
【００１８】
【図１】広告機能付き駐輪装置を用いたビジネス方法を示すブロック図
【図２】広告機能付き駐輪装置を設置した状態の斜視図
【符号の説明】
【００１９】
１        オーナー
２        リース会社
３        広告代理店
４        製造メーカー
５        広告主
６        店舗
７        駐輪装置
８        広告表示部
【図１】
2006048565.tif 000003
【図２】
2006048565.tif 000004